(57)【特許請求の範囲】
【請求項１】
車両の内燃機関の出力軸から動力が入力される入力軸と、前記車両の駆動輪へ動力を出力する出力軸とを備え、前記出力軸の回転速度に対する前記入力軸の回転速度の割合である減速比が異なる予め定められた複数の変速段を有する有段変速機と、
前記内燃機関の出力軸と前記有段変速機の入力軸との間に介装され、且つ前記内燃機関の出力軸と一体回転する第１摩擦板及び前記有段変速機の入力軸と一体回転する第２摩擦板からなる摩擦板を備えたクラッチであって、前記第１、第２摩擦板の原位置からの軸方向の相対移動量であるクラッチストロークを調整することによって、前記摩擦板が伝達し得るトルクの最大値であるクラッチトルクを調整可能なクラッチと、
前記車両の走行状態に基づいて、前記クラッチのクラッチストローク、及び前記有段変速機の変速段を制御する制御手段と、
前記クラッチの前記摩擦板の軸方向の摩耗量を推定する推定手段と、
前記推定された摩擦板の摩耗量が第１所定値を超えたとの判定に基づいて、前記クラッチが摩耗したと判定する判定手段と、
を備えた車両の動力伝達制御装置であって、
前記判定手段は、
前記クラッチが摩耗したと判定したことに基づいて、前記車両のユーザーに警報を行うように構成され、
更に、前記判定手段は、前記推定された摩擦板の摩耗量が前記第１所定値より大きい第２所定値を超えたとの判定に基づいて、前記内燃機関が発生するトルクの最大値を制限するように構成された車両の動力伝達制御装置。
【請求項２】
請求項１に記載の車両の動力伝達制御装置において、
前記判定手段は、
前記推定された摩擦板の摩耗量が前記第２所定値より大きい第３所定値を超えたとの判定に基づいて、前記有段変速機の複数の変速段のうち前記減速比が小さい高速側の変速段の選択を制限するように構成された車両の動力伝達制御装置。
【請求項３】
請求項２に記載の車両の動力伝達制御装置において、
前記判定手段は、
前記推定された摩擦板の摩耗量が前記第３所定値より大きい第４所定値を超えたとの判定に基づいて、前記内燃機関の出力が前記有段変速機の出力軸に伝達され得なくするための処理を施すように構成された車両の動力伝達制御装置。
【発明の詳細な説明】
【技術分野】
【０００１】
本発明は、車両の動力伝達制御装置に関する。
【背景技術】
【０００２】
近年、複数の変速段を有し且つトルクコンバータを備えていない有段変速機と、内燃機関の出力軸と有段変速機の入力軸との間に介装されてクラッチトルク（クラッチが伝達し得るトルクの最大値）を調整可能なクラッチと、車両の走行状態に応じてクラッチアクチュエータ及び変速アクチュエータを用いてクラッチトルク及び有段変速機の変速段を制御する制御手段と、を備えた動力伝達制御装置が開発されてきている（例えば、特許文献１を参照）。係る動力伝達制御装置は、オートメイティッド・マニュアル・トランスミッション（ＡＭＴ）とも呼ばれる。
【０００３】
ＡＭＴを搭載した車両では、変速作動（変速機の変速段を変更する作動）が行われる際、変速作動の開始前にクラッチアクチュエータの作動によりクラッチが接合状態（クラッチトルク＞０）から分断状態（クラッチトルク＝０）へと変更され、クラッチが分断状態に維持された状態で変速アクチュエータの作動により変速作動が行われ、変速作動の終了後にクラッチアクチュエータの作動によりクラッチが分断状態から接合状態へと戻される。
【先行技術文献】
【特許文献】
【０００４】
【特許文献１】特開２００６−９７７４０号公報
【発明の概要】
【０００５】
ＡＭＴを搭載した車両に使用される前記クラッチでは、通常、「内燃機関の出力軸と一体回転する第１摩擦板及び有段変速機の入力軸と一体回転する第２摩擦板からなる摩擦板」が備えられ、第１、第２摩擦板の原位置からの軸方向の相対移動量（クラッチストローク）を調整することによって前記クラッチトルクが調整される。
【０００６】
ところで、車両の走行距離の増大等に応じて、前記クラッチの摩擦板の摩耗が不可避的に進行する。ＡＭＴを搭載した車両では、クラッチの摩擦板の摩耗の進行度合が把握されていなかった。従って、車両のユーザーは、クラッチ（の摩擦板）の適切な交換時期を知るため、クラッチが分断状態から接合状態へ移行する際のフィーリング等を利用した自身の感と経験に頼るしかなかった。車両のユーザーがクラッチ（の摩擦板）の適切な交換時期を容易に知ることができる装置の到来が望まれていたところである。
【０００７】
本発明の目的は、ＡＭＴを搭載した車両に適用される車両の動力伝達制御装置であって、車両のユーザーがクラッチ（の摩擦板）の適切な交換時期を容易に知ることができるものを提供することにある。
【０００８】
本発明による車両の動力伝達制御装置は、有段変速機（Ｔ／Ｍ）と、クラッチ（Ｃ／Ｔ）と、制御手段（ＥＣＵ、ＡＣＴ１，ＡＣＴ２）とを備える。
【０００９】
前記有段変速機は、前記内燃機関の出力軸（Ａ１）から動力が入力される入力軸（Ａ２）と、前記車両の駆動輪へ動力を出力する出力軸（Ａ３）とを備える。前記有段変速機は、減速比（前記出力軸の回転速度（Ｎｏ）に対する前記入力軸の回転速度（Ｎｉ）の割合）が異なる予め定められた複数の変速段を有し、且つトルクコンバータを備えていない。
【００１０】
前記クラッチは、前記内燃機関の出力軸と前記有段変速機の入力軸との間に介装され、且つ、「前記内燃機関の出力軸と一体回転する第１摩擦板及び前記有段変速機の入力軸と一体回転する第２摩擦板からなる摩擦板」を備える。前記第１、第２摩擦板の原位置からの軸方向の相対移動量（＝クラッチストロークＳｔ）を調整することによって、前記摩擦板が伝達し得るトルクの最大値（＝クラッチトルクＴｃ）が調整可能となっている。
【００１１】
前記制御手段は、前記車両の走行状態に基づいて、（クラッチアクチュエータＡＣＴ１を作動させて）前記クラッチのクラッチストローク、及び（変速アクチュエータＡＣＴ２を作動させて）前記有段変速機の変速段を制御する。
【００１２】
前記推定手段は、前記クラッチの前記摩擦板の軸方向の摩耗量を推定する。前記判定手段は、前記推定された摩擦板の摩耗量が第１所定値を超えたとの判定に基づいて、前記クラッチが摩耗したと判定する。ここにおいて、前記クラッチが摩耗したと判定したことに基づいて、前記車両のユーザーに警報を行うように構成されることが好適である。
【００１３】
この動力伝達制御装置の特徴は、前記クラッチが、前記原位置における前記第１、第２摩擦板の軸方向の相対距離を調整する原位置調整機構を備える場合、前記推定手段は、前記クラッチのクラッチストロークを調整して、前記クラッチトルクがゼロより大きい接合状態と前記クラッチトルクがゼロとなる分断状態との境界に対応するクラッチストロークをタッチ点として取得する取得手段を備え、前記原位置調整機構が作動する毎にその作動の前後における前記タッチ点の移動量を算出し、前記タッチ点の移動量の積算値に基づいて前記摩擦板の摩耗量を推定するように構成されたことにある。
【００１４】
これによれば、前記第１所定値を、「クラッチ（の摩擦板）を交換すべき時期」に対応する値に設定することによって、車両のユーザーは、クラッチ（の摩擦板）の適切な交換時期を容易に知ることができる。
【００１７】
この場合、前記原位置調整機構は、ユーザーの操作に基づいて手動で作動する構成を有していてもよいし、クラッチの作動状態に応じて（ユーザーの操作なしで）自動で作動する構成を有していてもよい。また、前記原位置調整機構の毎回の作動は、前記原位置における前記第１、第２摩擦板の軸方向の相対距離が最適な距離に一致するようになされる。
【図面の簡単な説明】
【００１８】
【図１】本発明の実施形態に係る車両の動力伝達制御装置を搭載した車両の概略構成図である。
【図２】図１に示したクラッチについての「ストローク−トルク特性」を規定するマップを示したグラフである。
【図３】図１に示した変速機についての「車速及びアクセル開度」と「選択される変速段」との関係を規定するマップを示したグラフである。
【図４】本発明の実施形態により実行されるクラッチ摩耗判定１の際の処理の流れを示したフローチャートである。
【図５】図４に示した処理において使用される、クラッチの累積仕事量とクラッチ摩耗量との関係を規定するマップを示したグラフである。
【図６】本発明の実施形態により実行されるクラッチ摩耗判定２の際の処理の流れを示したフローチャートである。
【図７】図６に示した処理において使用される、原位置調整機構の作動量積算値とクラッチ摩耗量との関係を規定するマップを示したグラフである。
【図８】本発明の実施形態により実行されるクラッチ摩耗警告についての処理の流れを示したフローチャートである。
【発明を実施するための形態】
【００１９】
以下、本発明による車両の動力伝達制御装置の実施形態について図面を参照しつつ説明する。
【００２０】
（構成）
図１は、本発明の実施形態に係る動力伝達制御装置（以下、「本装置」と称呼する。）を搭載した車両の概略構成を示している。この車両は、動力源として内燃機関を備え、且つ、トルクコンバータを備えない有段変速機とクラッチとを使用した所謂オートメイティッド・マニュアル・トランスミッション（ＡＭＴ）を搭載した車両である。
【００２１】
この車両は、エンジンＥ／Ｇと、変速機Ｔ／Ｍと、クラッチＣ／Ｔと、を備えている。Ｅ／Ｇは、周知の内燃機関の１つであり、例えば、ガソリンを燃料として使用するガソリンエンジン、軽油を燃料として使用するディーゼルエンジンである。Ｅ／Ｇの出力軸Ａ１は、Ｃ／Ｔを介してＴ／Ｍの入力軸Ａ２と接続されている。
【００２２】
変速機Ｔ／Ｍは、前進用の複数（例えば、５つ）の変速段、後進用の１つの変速段、及びニュートラル段を有するトルクコンバータを備えない周知の有段変速機の１つである。Ｔ／Ｍの出力軸Ａ３は、図示しないプロペラシャフト、図示しないディファレンシャル等を介して車両の駆動輪と接続されている。Ｔ／Ｍの変速段の切り替えは、変速アクチュエータＡＣＴ２を制御することで実行される。変速段を切り替えることで、減速比（出力軸Ａ３の回転速度Ｎｏに対する入力軸Ａ２の回転速度Ｎｉの割合）が変更される。
【００２３】
クラッチＣ／Ｔは、周知の構成の１つを備えていて、Ｅ／Ｇの出力軸とＴ／Ｍの入力軸との間で、伝達し得るトルクの最大値（クラッチトルクＴｃ）を調整可能に構成されている。具体的には、クラッチＣ／Ｔは、エンジンＥ／Ｇの出力軸Ａ１と一体回転するように設けられたフライホイール（前記「第１摩擦板」に対応）と、変速機Ｔ／Ｍの入力軸Ａ２と一体回転するように設けられた摩擦クラッチ板（前記「第２摩擦板」に対応）と、を備える。以下、フライホイール及び摩擦クラッチ板を総称して「摩擦板」とも呼ぶ。
【００２４】
摩擦クラッチ板は、フライホイールに対して同軸的に向き合うように、且つ、フライホイールに対する軸方向の位置が調整可能に配置・構成されている。摩擦クラッチ板の軸方向位置は、クラッチアクチュエータＡＣＴ１により調整される。即ち、この車両には、クラッチペダルは備えられていない。
【００２５】
以下、摩擦クラッチ板の「原位置」からの接合方向（圧着方向）への軸方向の移動量を「クラッチストローク（Ｓｔ）」と呼ぶ。「原位置」は、例えば、摩擦クラッチ板（摩擦板）の可動範囲内における基準となる位置、摩擦クラッチ板（摩擦板）の可動範囲におけるフライホイールから遠い側の端位置（ストッパに当接する位置）である。Ｓｔは、「摩擦クラッチ板とフライホイールとの原位置からの軸方向の相対移動量」と考えることもできる。摩擦クラッチ板が「原位置」にあるとき、Ｓｔが「０」となる。図２に示すように、Ｓｔを調整することにより、クラッチトルクＴｃが調整される。
【００２６】
「Ｔｃ＝０」の状態では、エンジンＥ／Ｇの出力軸Ａ１と変速機Ｔ／Ｍの入力軸Ａ２との間で動力が伝達されない。この状態を「分断状態」と呼ぶ。また、「Ｔｃ＞０」の状態では、出力軸Ａ１と入力軸Ａ２との間で動力が伝達される。この状態を「接合状態」と呼ぶ。「接合状態」と「分断状態」との境界に対応するクラッチストロークをタッチ点と呼ぶ（図２を参照）。
【００２７】
また、「接合状態」において、クラッチＣ／Ｔに滑りが発生していない状態（出力軸Ａ１の回転速度Ｎｅと入力軸Ａ２の回転速度Ｎｉとが一致している状態）を特に「完全接合状態」と呼び、クラッチＣ／Ｔに滑りが発生している状態（ＮｅとＮｉとが一致していない状態）を特に「半接合状態」と呼ぶ。なお、Ｃ／Ｔでは、ＡＣＴ１によって摩擦クラッチ板のみの軸方向位置を調整することによってクラッチストロークが調整されているが、ＡＣＴ１によって摩擦クラッチ板及びフライホイールの両方の軸方向位置をそれぞれ調整することによってクラッチストロークが調整されてもよい。
【００２８】
また、本装置は、アクセルペダルＡＰの操作量（アクセル開度）を検出するアクセル開度センサＳ１と、シフトレバーＳＦの位置を検出するシフト位置センサＳ２と、ブレーキペダルＢＰの操作の有無を検出するブレーキセンサＳ３と、出力軸Ａ１の回転速度Ｎｅを検出する回転速度センサＳ４と、入力軸Ａ２の回転速度Ｎｉを検出する回転速度センサＳ５と、クラッチストロークＳｔを検出するクラッチストロークセンサＳ６と、車輪の回転速度を検出する車輪速度センサＳ７と、を備えている。
【００２９】
更に、本装置は、電子制御ユニットＥＣＵを備えている。ＥＣＵは、上述のセンサＳ１〜Ｓ７、並びにその他のセンサ等からの情報等に基づいて、上述のアクチュエータＡＣＴ１、ＡＣＴ２を制御することで、Ｃ／ＴのクラッチストロークＳｔ（従って、クラッチトルクＴｃ）、及び、Ｔ／Ｍの変速段を制御する。また、ＥＣＵは、Ｅ／Ｇの燃料噴射量（スロットル弁の開度）を制御することでＥ／Ｇの出力軸Ａ１の駆動トルクを制御する。具体的には、アクセル開度が大きくなるに従ってＥ／Ｇの駆動トルクが大きくなるように燃料噴射量（スロットル弁の開度）が制御される。
【００３０】
本装置では、シフトレバーＳＦの位置が「自動モード」に対応する位置にある場合、ＥＣＵ内のＲＯＭ（図示せず）に記憶された図３に示す変速マップに基づいて変速機Ｔ／Ｍの変速段が決定される。より具体的には、本装置では、車輪速度センサＳ７から得られる車輪速度に基づいて算出される車速と、アクセル開度センサＳ１から得られるアクセル開度との組み合わせが、変速マップ上におけるどの変速段の領域に対応するかにより、達成すべき１つの変速段（以下、「選択変速段」と呼ぶ。）が選択される。例えば、現在の車速がαで現在のアクセル開度がβである場合（図３に示す黒点を参照）、選択変速段として「３速」が選択される。
【００３１】
図３に示す変速マップは、車速とアクセル開度との組み合わせに対して最適な変速段を適合する実験を、前記組み合わせを種々変更しながら繰り返し行うことにより取得され得る。一方、シフトレバーＳＦの位置が「手動モード」に対応する位置にある場合、運転者によるシフトレバーＳＦの操作に基づいて選択変速段が選択される。
【００３２】
変速機Ｔ／Ｍでは、複数の変速段のうち現在の選択変速段が実現（確立）される。選択変速段が一定、且つ選択変速段が実現された状態で車両が走行する場合、通常、Ｃ／Ｔは完全接合状態に維持される。
【００３３】
一方、選択変速段が変化したとき、変速機Ｔ／Ｍの変速作動（変速段が変更される際の作動）が行われる。変速作動の開始は、変速段の変更に関連して移動する部材（具体的には、スリーブ）の移動の開始に対応し、変速作動の終了は、その部材の移動の終了に対応する。変速作動が行われる際、変速作動の開始前にクラッチＣ／Ｔが接合状態（完全接合状態、Ｔｃ＞０）から分断状態（Ｔｃ＝０）へと変更され、クラッチが分断状態に維持された状態で変速作動が行われ、変速作動の終了後にクラッチが分断状態から接合状態（完全接合状態）へと戻される。以上、この車両は、ＡＭＴを搭載した車両である。
【００３４】
（クラッチ摩耗判定の第１の例）
車両の走行距離の増大等に応じて、上述した「摩擦板」（摩擦クラッチ板及びフライホイールの両方、或いは何れか一方）の摩擦面の摩耗が不可避的に進行する。本装置では、摩擦板の軸方向の摩耗量（摩擦クラッチ板及びフライホイールの両方の摩耗量の和、或いは何れか一方のみの摩耗量、以下、「クラッチ摩耗量」と呼ぶ）が推定され、推定されたクラッチ摩耗量に基づいて「クラッチが摩耗した」との判定（クラッチ摩耗判定）がなされる。
【００３５】
以下、本装置によるクラッチ摩耗判定の第１の例（クラッチ摩耗判定１）に関する処理の流れについて、図４に示すフローチャートを参照しながら説明する。図４に示すように、先ず、ステップ４０５では、クラッチＣ／Ｔの累積仕事量が算出される。この累積仕事量は、例えば、下記(１)式に従って算出・更新され得る。
【００３６】
クラッチの累積仕事量＝Σ(ΔＮ・Ｔｃ)・ｄＴ…(１)
【００３７】
上記(１)式において、ΔＮは、「Ｅ／Ｇの出力軸Ａ１の回転速度Ｎｅ」と「Ｔ／Ｍの入力軸Ａ２の回転速度Ｎｉ」との差である。Ｎｅ及びＮｉはそれぞれ、上述したセンサＳ４、Ｓ５の検出結果に基づいて取得され得る。Ｔｃは、Ｃ／Ｔが発生するクラッチトルクである。このクラッチトルクは、例えば、クラッチトルクを直接検出するセンサ（図示せず）の検出結果に基づいて取得され得る。或いは、このクラッチトルクは、図２に示すマップに、上述したセンサＳ６により検出されたクラッチストロークの検出値を適用することによっても取得され得る。ｄＴは、微小時間である。このように、クラッチの累積仕事量は、微小時間ｄＴあたりのクラッチの仕事量「(ΔＮ・Ｔｃ)・ｄＴ」をｄＴ毎に積算していくことによって算出・更新されていく。
【００３８】
ステップ４１０では、図５に示すマップを利用して、クラッチの累積仕事量とクラッチ摩耗量とが比例関係にあるとの仮定に基づき、ステップ４０５で算出・更新されたクラッチの累積仕事量からクラッチ摩耗量が推定される。
【００３９】
ステップ４１５では、ステップ４１０で推定されたクラッチ摩耗量が第１所定値を超えたか否かが判定され、「Ｙｅｓ」と判定される場合、ステップ４２０にて、「Ｃ／Ｔが摩耗した」との判定がなされる。ここで、第１所定値は、「Ｃ／Ｔの摩擦板を交換すべき時期」に対応する摩耗量に設定され得る。以上、クラッチ摩耗判定１では、「クラッチの累積仕事量」に基づいて推定されたクラッチ摩耗量を利用してクラッチ摩耗判定がなされる。
【００４０】
（クラッチ摩耗判定の第２の例）
次に、本装置によるクラッチ摩耗判定の第２の例（クラッチ摩耗判定２）に関する処理の流れについて、図６に示すフローチャートを参照しながら説明する。図６に示すように、先ず、ステップ６０５では、クラッチＣ／Ｔの原位置調整機構（図示せず）が作動する。原位置調整機構とは、Ｃ／Ｔの「原位置」（クラッチストロークＳｔ＝０）における「摩擦クラッチ板とフライホイールとの軸方向の相対距離」を調整する機構である。
【００４１】
原位置調整機構は、ユーザーの操作に基づいて手動で作動する構成を有していてもよいし、Ｃ／Ｔの作動状態に応じて（ユーザーの操作なしで）自動で作動する構成を有していてもよい。原位置調整機構の毎回の作動は、「原位置」における「摩擦クラッチ板とフライホイールとの軸方向の相対距離」が最適な距離に一致するようになされる。
【００４２】
ステップ６１０では、現在（即ち、今回の原位置調整機構の作動完了後）におけるタッチ点（図２を参照）が検出される。例えば、車両停止中、且つ、Ｅ／Ｇがアイドリング状態にあり、且つ、Ｔ／Ｍがニュートラルの状態にある場合（即ち、Ｅ／Ｇの出力軸Ａ１が回転中、且つ、Ｔ／Ｍの入力軸Ａ２が回転停止中）において、クラッチストロークを「０」から徐々に増大していき、Ｔ／Ｍの入力軸Ａ２が回転開始する時点に対応するクラッチストロークが、タッチ点として検出され得る。
【００４３】
ステップ６１５では、タッチ点移動量が算出される。タッチ点移動量とは、今回の原位置調整機構の作動開始前と作動完了後の間のタッチ点のずれ量を指す。即ち、ステップ６１５では、原位置調整機構が作動する毎に、その作動の前後におけるタッチ点移動量が算出される。
【００４４】
ステップ６２０では、その時点までに積算されてきた「タッチ点移動量積算値」に、ステップ６１５にて算出された今回のタッチ点移動量が積算されることによって、「タッチ点移動量積算値」が更新される。
【００４５】
ステップ６２５では、「原位置調整機構の作動量積算値」が、ステップ６２０にて更新された「タッチ点移動量積算値」と等しい値に更新される。この処理は、「原位置調整機構の今回の作動量（今回の上記相対距離の変化量）が今回のタッチ点移動量と等しい」との仮定に基づく。
【００４６】
ステップ６３０では、図７に示すマップを利用して、「原位置調整機構の作動量積算値」とクラッチ摩耗量とが比例関係にあるとの仮定に基づき、ステップ６２５で算出・更新された「原位置調整機構の作動量積算値」からクラッチ摩耗量が推定される。
【００４７】
ステップ６３５では、ステップ６３０で推定されたクラッチ摩耗量が第１所定値を超えたか否かが判定され、「Ｙｅｓ」と判定される場合、ステップ６４０にて、「Ｃ／Ｔが摩耗した」との判定がなされる。ここで、第１所定値は、上述のステップ４１５で使用した値と同じ値である。以上、クラッチ摩耗判定２では、「原位置調整機構の作動量積算値」（即ち、タッチ点移動量積算値）に基づいて推定されたクラッチ摩耗量を利用してクラッチ摩耗判定がなされる。
【００４８】
（クラッチ摩耗警告）
次に、本装置によるクラッチ摩耗警告に関する処理の流れについて、図８に示すフローチャートを参照しながら説明する。図８に示すように、先ず、ステップ８０５では、「クラッチが摩耗した」との判定がなされたか否か（即ち、図４のステップ４２０又は図６のステップ６４０が実行されたか否か）が判定され、「Ｙｅｓ」と判定される場合、ステップ８１０にて、車両のダッシュボード、メータパネル等に設けられた警報部（図１を参照）を利用して車両のユーザー（運転者）に警告がなされる。この警告は、例えば、ブザー音、ランプの点灯等によって達成される。この警告によって、車両のユーザーは、クラッチＣ／Ｔの摩擦板の適切な交換時期を容易に知ることができる。
【００４９】
「クラッチが摩耗した」との判定がなされている場合（即ち、クラッチ摩耗量＞第１所定値の場合）、ステップ８１５にて、ステップ４１０又はステップ６３０で推定されたクラッチ摩耗量が第２所定値（＞第１所定値）を超えたか否かが判定され、「Ｙｅｓ」と判定される場合、ステップ８２０にて、Ｅ／Ｇのトルクが制限される。具体的には、Ｅ／Ｇが発生するトルクの最大値（上限値）がより小さい値に制限される。この処理によって、大きなアクセル開度に応じた大きなＥ／Ｇのトルクが発生し得なくなる。この結果、Ｃ／Ｔの摩耗の促進が抑制され得るとともに、ユーザーにクラッチＣ／Ｔの摩擦板の交換を促すことができる。
【００５０】
クラッチ摩耗量＞第２所定値の場合、ステップ８２５にて、ステップ４１０又はステップ６３０で推定されたクラッチ摩耗量が第３所定値（＞第２所定値）を超えたか否かが判定され、「Ｙｅｓ」と判定される場合、ステップ８３０にて、Ｔ／Ｍの変速段の選択が制限される。具体的には、Ｔ／Ｍが有する複数の変速段のうち「減速比」が小さい高速側の変速段（例えば、５速のみ、或いは、４速及び５速）の選択が禁止される。この処理によって、ユーザーにクラッチＣ／Ｔの摩擦板の交換を更に促すことができる。
【００５１】
クラッチ摩耗量＞第３所定値の場合、ステップ８３５にて、ステップ４１０又はステップ６３０で推定されたクラッチ摩耗量が第４所定値（＞第３所定値）を超えたか否かが判定され、「Ｙｅｓ」と判定される場合、ステップ８４０にて、車両を停止させる処理がなされる。具体的には、Ｅ／Ｇの燃料噴射を停止する処理、Ｔ／Ｍをニュートラル状態に維持する処理などのように、Ｅ／Ｇの出力がＴ／Ｍの出力軸Ａ３に伝達され得なくするための処理が実行される。この処理によって、車両がなおも走行を継続することに起因してＣ／Ｔの摩擦板の摩耗が過度に進行することを抑制することができる。
【００５２】
本発明は上記実施形態に限定されることはなく、本発明の範囲内において種々の変形例を採用することができる。例えば、上記実施形態では、１本の入力軸を備えた変速機と、その１本の入力軸に接続された１つのクラッチと、を含む動力伝達制御装置が適用されているが、２本の入力軸を備えた変速機と、それら２本の入力軸のそれぞれと接続された２つのクラッチと、を含む動力伝達制御装置が適用されてもよい。この装置は、ダブル・クラッチ・トランスミッション（ＤＣＴ）とも呼ばれる。
【符号の説明】
【００５３】
Ｔ／Ｍ…変速機、Ｅ／Ｇ…エンジン、Ｃ／Ｔ…クラッチ、Ａ１…エンジンの出力軸、Ａ２…変速機の入力軸、Ａ３…変速機の出力軸、ＡＣＴ１…クラッチアクチュエータ、ＡＣＴ２…変速アクチュエータ、ＥＣＵ…電子制御ユニット
【図１】
0005918946.tif 000002
【図２】
0005918946.tif 000003
【図３】
0005918946.tif 000004
【図４】
0005918946.tif 000005
【図５】
0005918946.tif 000006
【図６】
0005918946.tif 000007
【図７】
0005918946.tif 000008
【図８】
0005918946.tif 000009